(57)【要約】【課題】光電変換基板を駆動する駆動回路基板を分割すると、基板の共通化が図れず、部品点数が増加する。【解決手段】駆動回路基板３を光電変換基板１の対向する二辺に配置し、且つ、駆動回路基板３を複数に分割し、分割した駆動回路基板３の両端部近傍にはそれぞれ同一のコネクタ５を配置する。また、光電変換基板１の隣接する二辺に配置した隣り合う駆動回路基板３と信号処理回路基板２とを、信号処理回路基板２の両端近傍に配置したコネクタ４と駆動回路基板３の両端近傍に配置したコネクタ５間を接続ケーブル６で接続する。【選択図】        図１
2004241640.tif 000002
【特許請求の範囲】
【請求項１】
複数の画素を有する光電変換基板と、前記光電変換基板を駆動する駆動回路基板と、前記光電変換基板の信号を処理する信号処理回路基板と、前記光電変換基板に入射する放射線を可視光に変換する蛍光体とを有する放射線撮像装置において、前記駆動回路基板は前記光電変換基板の対向する二辺に配置され、且つ、前記光電変換基板の二辺に配置された駆動回路基板は各々複数の基板に分割され、前記信号処理基板は前記駆動回路基板が配置された二辺とは別の対向する二辺に配置され、前記複数に分割された駆動回路基板の両端部近傍にはそれぞれ同一のコネクタが配置され、前記信号処理回路基板の両端部近傍にはそれぞれ同一のコネクタが配置されており、前記光電変換基板の隣接する二辺に配置された隣り合う駆動回路基板と信号処理回路基板とが、各々のコネクタ間を接続ケーブルで接続することによって電気的に接続されていることを特徴とする放射線撮像装置。
【発明の詳細な説明】
【０００１】
【発明の属する技術分野】
本発明は、  医療診断装置、非破壊検査装置等に用いられる放射線撮像装置に関するものである。
【０００２】
【従来の技術】
従来、  ファクシミリや複写機、スキャナ或いはＸ線撮像装置等の読み取り装置としては、縮小光学系とＣＣＤ型センサを組み合わせたシステムが一般的である。一方、近年においては、水素化アモルファスシリコン（以下ａ−Ｓｉと記す）に代表される光電変換半導体材料が開発され、それを用いることによって光電変換素子及び信号処理部を大面積の基板として形成し、情報源と等倍の光学系で読み取る密着型センサの開発が進んでいる。
【０００３】
特に、ａ−Ｓｉは光電変換材料としてだけでなく、薄膜電界効果型トランジスタ（以下ＴＦＴと記す）の半導体材料としても用いることができるので、光電変換半導体層とＴＦＴの半導体層を同時に形成することができる利点を有している。
【０００４】
また、大面積の光電変換基板を駆動する電気回路基板を光電変換基板の周辺に組み込み、更に、光電変換基板に放射線を可視光に変換する蛍光板を組み込むことにより、医療診断或いは非破壊検査等に用いる放射線撮像装置が開発されている。
【０００５】
図３は従来例の放射線撮像装置を示す平面図である。図中１は複数の画素が二次元に配列された光電変換基板である。光電変換基板１はガラス基板上に薄膜半導体プロセスを用いてセンサ（フォトダイオード）やその信号を読み出すためのＴＦＴ（薄膜トランジスタ）を形成したものであり、このセンサとＴＦＴから成る画素が二次元に配列されている。光電変換基板１の放射線入射側には、Ｘ線等の放射線を可視光に変換する蛍光板（図示せず）が設けられている。
【０００６】
光電変換基板１の周囲には、光電変換基板１の各画素の信号を読み出して信号処理を行う信号処理回路基板２、光電変換基板１を駆動する駆動回路基板３が配置されている。信号処理回路基板２は光電変換基板１の左右両側に配置され、駆動回路基板３は光電変換基板１の上下両側に配置されている。光電変換基板１と信号処理回路基板２はフレキシブルケーブルやＴＣＰ（テープ・キャリア・パッケージ）等の電気配線部材７で接続されている。同様に、光電変換基板１と駆動回路基板３とはフレキシブルケーブルやＴＣＰ等の電気接続部材７で接続されている。
【０００７】
信号処理回路基板２は光電変換基板１の読み出し順番を制御するタイミング回路や駆動回路基板３の電源系の制御を含んでおり、信号処理回路基板２と駆動回路基板３とは接続ケーブル６で接続されている。なお、４は信号処理回路基板２のコネクタ、５は駆動回路基板３のコネクタであり、信号処理回路基板２と駆動回路基板３はこれらのコネクタ４、５間を接続ケーブル６で接続することで電気的に接続されている。
【０００８】
【発明が解決しようとする課題】
しかしながら、上記従来の放射線撮像装置では、光電変換基板１とそれを駆動する駆動回路基板３とがライン毎に接続され、接続数が膨大であるため、光電変換基板１が大面積化すると、累積ピッチ誤差等により光電変換基板１を駆動する駆動回路基板３との接続位置がずれを生じ、接続不良等を引き起こす問題があった。
【０００９】
このような接続不良等の問題点を解決するため、光電変換基板１を駆動する駆動回路基板３を複数の基板に分割することが提案されているが、図３に示す光電変換基板１の上下の駆動回路基板３をそれぞれ分割すると、駆動回路基板３を共通化することができない。即ち、駆動回路基板３の上下位置によって異なる基板を必要とする。そのため、基板の種類が増加し、工程管理や装置の組み立て作業が複雑化する問題があった。
【００１０】
本発明は、上記従来の問題点に鑑みなされたもので、その目的は、駆動回路基板を共通化でき、工程管理や組み立て作業を容易に行うことが可能な放射線撮像装置を提供することにある。
【００１１】
【課題を解決するための手段】
本発明は、上記目的を達成するため、複数の画素を有する光電変換基板と、前記光電変換基板を駆動する駆動回路基板と、前記光電変換基板の信号を処理する信号処理回路基板と、前記光電変換基板に入射する放射線を可視光に変換する蛍光体とを有する放射線撮像装置において、前記駆動回路基板は前記光電変換基板の対向する二辺に配置され、且つ、前記光電変換基板の二辺に配置された駆動回路基板は各々複数の基板に分割され、前記信号処理基板は前記駆動回路基板が配置された二辺とは別の対向する二辺に配置され、前記複数に分割された駆動回路基板の両端部近傍にはそれぞれ同一のコネクタが配置され、前記信号処理回路基板の両端部近傍にはそれぞれ同一のコネクタが配置されており、前記光電変換基板の隣接する二辺に配置された隣り合う駆動回路基板と信号処理回路基板とが、各々のコネクタ間を接続ケーブルで接続することによって電気的に接続されていることを特徴とする。
【００１２】
また、本発明においては、前記信号処理基板は複数に分割され、分割された複数の信号処理基板の両端部近傍には、それぞれ同一のコネクタが配置されていることを好適に含んでいる。
【００１３】
【発明の実施の形態】
次に、本発明の実施の形態について図面を参照して詳細に説明する。
【００１４】
（第１の実施形態）
図１は本発明による放射線撮像装置の第１の実施形態を示す平面図である。なお、図１では図３の従来装置と同一部分は同一符号を付して説明を省略する。即ち、１はＸ線等の放射線入射側に蛍光板を有する光電変換基板、２は光電変換基板１からの信号を増幅する等の信号処理を行う信号処理回路基板、３は光電変換基板１を駆動する駆動回路基板、４は信号処理回路基板２のコネクタ、５は駆動回路基板３のコネクタ、６は接続ケーブル、７はフレキシブルケーブルやＴＣＰ等の電気配線部材である。信号処理回路基板２はプリント配線基板等に信号処理用ＩＣを搭載し、駆動回路基板３は同様にプリント配線基板等に駆動用ＩＣを搭載したものである。
【００１５】
駆動回路基板３は光電変換基板１の上下の二辺に対称に配置され、この光電変換基板１の上下に配置された駆動回路基板３はそれぞれ２つの基板に分割されている。分割された駆動回路基板３は光電変換基板１とそれぞれ電気配線部材７を用いて接続されている。また、信号処理回路基板２は光電変換基板１の左右の二辺に配置されている。信号処理回路基板２は分割されていないが、光電変換基板１との接続は複数の電気配線部材７を用いて接続されている。駆動回路基板３や信号処理回路基板２は配線抵抗を低下するため光電変換基板１の周囲に近接して配置されている。
【００１６】
駆動回路基板３には、それぞれ左右の基板端部付近にコネクタ５、５が配置され、この２つのコネクタ５は端子配置と形状が同じである。また、信号処理回路基板２には、それぞれ基板端部付近にコネクタ４、４が配置され、この２つのコネクタ４も端子配置と形状が同じである。駆動回路基板３の配線パターンは同じであり、図１における２つのコネクタ５を有する駆動回路基板３は全て同一の基板である。
【００１７】
ここで、互いに隣り合う信号処理回路基板２と駆動回路基板３は対となっており、図１に示すように光電変換基板１の４カ所の隅部で互いに隣り合う信号処理回路基板２と駆動回路基板３同士がそれぞれコネクタ４とコネクタ５の間を接続ケーブル６を用いて接続されている。即ち、信号処理回路基板２は光電変換基板１の読み出し順番を制御するタイミング回路や駆動回路基板３への電源系の制御を含むため、隣り合う信号処理回路基板２と駆動回路基板３が接続ケーブル６で接続されている。
【００１８】
また、駆動回路基板３（又は信号処理回路基板２）を複数の基板に分割する場合には、信号処理回路基板２から駆動回路基板３への接続ケーブル６が増加する。接続ケーブル６は光電変換基板１の上下、左右の両側にそれぞれ配置された信号処理回路基板２と駆動回路基板３に実装されたコネクタで接続されている。
【００１９】
この場合、接続ケーブル６は共通化できるが、信号処理回路基板２と駆動回路基板３は図１に示すように光電変換基板１の上下、左右の対称な位置に配置されているため、それぞれの基板に実装するコネクタ４やコネクタ５をそれぞれの基板の中央近辺に配置すれば、光電変換基板１の上下、左右に配置する信号処理回路基板２と駆動回路基板３を共通化することができるが、それでは接続ケーブル６の長さが長くなるため、ノイズや電圧降下等の問題を引き起こしてしまう。
【００２０】
本実施形態では、このようなノイズや電圧降下等の問題を考慮して、コネクタ４やコネクタ５を信号処理回路基板２と駆動回路基板３の隣り合う位置に配置し、隣り合う信号処理回路基板２と駆動回路基板３を接続する接続ケーブル６の長さを最短としている。
【００２１】
また、このように信号処理回路基板２と駆動回路基板３の隣り合う位置にコネクタを配置しただけでは、光電変換基板１の上下、左右の対称な位置にそれぞれ信号処理回路基板２と駆動回路基板３を配置した場合には、各基板の共通化が不可能である。
【００２２】
そこで、図１に示すように駆動回路基板３上の両端部近傍に端子配列及び部品形状が同一なコネクタ５を配置すると共に、信号処理回路基板２の両端部近傍にも端子配列と部品形状が同一のコネクタ４を配置している。これにより、駆動回路基板３を光電変換基板１の上下位置に関係なく使用できるようにし、基板の共通化を図っている。
【００２３】
更に、コンパクトな装置にするためには、信号処理回路基板２と駆動回路基板３を光電変換基板１の裏面に固定し、外形サイズを最小限とするのが望ましい。
この際、駆動回路基板３を分割すると、光電変換基板１と駆動回路基板３を固定する場合において分割した駆動回路基板３間に光電変換基板１との固定のためのメカ部材等を配置できるので、メカ設計の自由度を確保できる。これは、信号処理回路基板２を分割した場合も同様である。
【００２４】
なお、図１では駆動回路基板３のみを分割しているが、信号処理回路基板２のみを分割した場合にも同様の効果が得られる。
【００２５】
（第２の実施形態）
図２は本発明の第２の実施形態を示す平面図である。図１と同一部分は同一符号を付している。本実施形態では、駆動回路基板３の他に信号処理回路基板２も複数の基板に分割している。駆動回路基板３の両端部近傍には、第１の実施形態と同様に端子配列及び形状が同一のコネクタ５が配置されている。また、分割された信号処理回路基板２の両端近傍にも、同様に端子配列及び部品形状が同一のコネクタ４が配置されている。信号処理回路基板２の配線パターンは同一であり、２つのコネクタ４を有する信号処理回路基板２は全て同一の基板である。
【００２６】
また、光電変換基板１の４隅において隣り合う信号処理回路基板２と駆動回路基板３同士がコネクタ４と５間を接続ケーブル６で接続することで電気的に接続されている。本実施形態では、駆動回路基板３の他に信号処理回路基板２の共通化が可能である。
【００２７】
【発明の効果】
以上説明したように本発明によれば、光電変換基板を駆動する駆動回路基板を複数の基板に分割し、駆動回路基板の両端近傍に同一のコネクタを配置することにより、駆動回路基板の共通化が図れ、その分、部品点数を削減できるので工程管理等を簡略化でき、生産性を向上することができる。
【図面の簡単な説明】
【図１】本発明による放射線撮像装置の第１の実施形態を示す平面図である。
【図２】本発明の第２の実施形態を示す平面図である。
【図３】従来例の放射線撮像装置を示す平面図である。
【符号の説明】
１  光電変換基板
２  信号処理回路基板
３  駆動回路基板
４  コネクタ
５  コネクタ
６  接続ケーブル
７  電気配線部材
【図１】
2004241640.tif 000003
【図２】
2004241640.tif 000004
【図３】
2004241640.tif 000005